(57)【要約】      （修正有）【課題】包装用箱を、両面粘着テープなどを用いることなく他の箱に容易に連結可能とする。【解決手段】一側板部１０に、第一の切込み線１１とその両端１１ａ，１１ｂ間を延びる谷折り線１２によって舌片１３が形成され、この舌片１３は他の箱に形成されたスリットに挿入可能であって、第二の切込み線１４によって、スリットへの挿入方向と反対側を向いた係止片１５と、第二の切込み線１４の両端１４ａ，１４ｂから第一の切込み線１１へ向けて互いに反対側へ延びる山折り線１６，１７が形成されている。谷折り線１２で谷折りするようにして舌片１３を引き起こし、山折り線１６，１７で舌片１３を山折りすることによって係止片１５を引き起こした状態で、舌片１３をスリットに挿入すると、この舌片１３と共に挿入されその挿入方向と反対側を向いた係止片１５が、スリットの内側に引っ掛かって抜け止めされる。【選択図】図１
0003120302.tif 000002
【実用新案登録請求の範囲】
【請求項１】
一側板部に、所要の領域を取り囲むように屈曲して延びる第一の切込み線と、この第一の切込み線の両端間を延びる谷折り線によって、舌片が形成され、この舌片は他の箱に形成されたスリットに挿入可能であって、両端が互いに対向するように屈曲して延びる第二の切込み線によって前記スリットへの挿入方向と反対側を向いた係止片と、前記第二の切込み線の両端から前記第一の切込み線へ向けて互いに反対側へ延びる山折り線が形成されたことを特徴とする包装用箱。
【請求項２】
一側板部に、所要の領域を取り囲むように屈曲して延びる切込み線と、この切込み線の両端間を延びる第一の折り線によって囲まれた舌片が形成され、この舌片は他の箱に形成されたスリットに挿入可能であって、前記第一の折り線によって揺動可能な本体部と、その両側にそれぞれ形成された第二の折り線によって揺動可能であると共に前記スリットへの挿入方向と反対側へ延びる一対の係止片からなることを特徴とする包装用箱。
【考案の詳細な説明】
【技術分野】
【０００１】
本考案は、包装用箱に関し、特に、他の箱に、その端部に形成されたスリットを利用して連結可能としたものに関する。
【背景技術】
【０００２】
缶入りジュースや缶入りビールは、複数個をまとめてカートンケースに包装されて出荷・搬送されるが、近年、量販店では、カートンケースに包装された状態で陳列され、販売されることが一般的になっている。このような場合、販売促進用の景品等を収納した包装用箱を、前記缶入りジュースや缶入りビールなどの商品を包装したカートンケースに結合させて販売することがある。
【０００３】
従来、商品を包装した本体箱に、景品等を収納した付属箱を結合する方法としては、例えば特許文献１に記載されたようなものが知られている。
【特許文献１】特開平１０−２３６４５６号公報
【０００４】
しかしながら、特許文献１は、付属箱に延設した舌片状の被挟持部を、本体箱の側面部とフラップの差し込み片との間に挿入して挟持させるだけであり、被挟持部自体は結合機能を持たないため、これら本体箱と付属箱のまとめてその外側をフィルムなどで包装するか、あるいは両面粘着テープなどによる他の結合手段を用いる必要があった。
【考案の開示】
【考案が解決しようとする課題】
【０００５】
本考案は、以上のような点に鑑みてなされたものであって、その技術的課題とするところは、包装用箱を、両面粘着テープなどを用いることなく他の箱に容易に連結可能とすることにある。
【課題を解決するための手段】
【０００６】
上述した技術的課題を有効に解決するための手段として、請求項１の考案に係る包装用箱は、一側板部に、所要の領域を取り囲むように屈曲して延びる第一の切込み線と、この第一の切込み線の両端間を延びる谷折り線によって、舌片が形成され、この舌片は他の箱に形成されたスリットに挿入可能であって、両端が互いに対向するように屈曲して延びる第二の切込み線によって前記スリットへの挿入方向と反対側を向いた係止片と、前記第二の切込み線の両端から前記第一の切込み線へ向けて互いに反対側へ延びる山折り線が形成されたことを特徴とする。
【０００７】
上記構成において、舌片は、谷折り線で谷折りするようにして包装用箱の一側板部から引き起こし、係止片は、山折り線で舌片を山折りすることによって、この舌片から引き起こす。そして、この状態で前記舌片を他の箱に形成されたスリットに挿入すると、この舌片と共に挿入されその挿入方向と反対側を向いた係止片が、スリットの内側に引っ掛かって抜け止めされるので、包装用箱が他の箱に対して結合される。
【０００８】
請求項２の考案に係る包装用箱は、一側板部に、所要の領域を取り囲むように屈曲して延びる切込み線と、この切込み線の両端間を延びる第一の折り線によって囲まれた舌片が形成され、この舌片は他の箱に形成されたスリットに挿入可能であって、前記第一の折り線によって揺動可能な本体部と、その両側にそれぞれ形成された第二の折り線によって揺動可能であると共に前記スリットへの挿入方向と反対側へ延びる一対の係止片からなることを特徴とする。
【０００９】
上記構成において、舌片は、第一の折り線及び第二の折り線で折り曲げることによって、その本体部及び両側の係止片を、包装用箱の一側板部から引き起こす。そして、この状態で前記舌片を他の箱に形成されたスリットに挿入すると、その挿入方向と反対側を向いた両側の係止片が、スリットの内側に引っ掛かって抜け止めされるので、包装用箱が他の箱に対して結合された状態となる。
【考案の効果】
【００１０】
請求項１又は２の考案に係る包装用箱によれば、その一側板部に切り出し形成した舌片を、他の箱に形成されたスリットに挿入するだけで、この舌片に形成された係止片によって抜け止め係止されるので、両面粘着テープや接着剤などの手段を用いることなく、前記他の箱に容易に結合することができる。
【考案を実施するための最良の形態】
【００１１】
以下、本考案に係る包装用箱の好ましい実施の形態について、図面を参照しながら説明する。まず図１は、第一の形態を示す斜視図、図２は、図１の包装用箱を結合するカートンを示す部分斜視図、図３は、舌片をスリットへ下向きに差し込むことによって図１の包装用箱と図２のカートンを結合する場合の、包装用箱とカートンとの関係を説明するための一部破断した斜視図、図４は、舌片をスリットへ下向きに差し込むことによって図１の包装用箱と図２のカートンとを結合した状態を示す部分断面図である。
【００１２】
図１に示される本実施形態の包装用箱１は、段ボール、あるいは厚紙等を所定の形状に打ち抜くと共に所定箇所に折り線及び切込み線を形成したものを、前記折り線に沿って折り曲げて、不図示の糊代の接着や、フラップ１ａ，１ｂの端部の差し込み等、良く知られた方法によって直方体状に組み立てられており、例えば、ビールのおつまみ、あるいはビールグラスなど、適当な景品を包装するものである。
【００１３】
この包装用箱１は、その六面のうち、フラップ１ａ，１ｂによる封緘部以外の側板部１０に、所要の領域を取り囲むように、略コ字形の屈曲形状に延びる第一の切込み線１１と、この第一の切込み線１１の互いに対向する両端１１ａ，１１ｂ間を直線状に延びる谷折り線１２によって、舌片１３が形成されている。また、この舌片１３には、第一の切込み線１１と逆向きの略コ字形の屈曲形状に延びる第二の切込み線１４によって、舌片１３と反対側を向いた係止片１５と、第二の切込み線１４の互いに対向する両端１４ａ，１４ｂから第一の切込み線１１へ向けて互いに反対側へ、谷折り線１２と平行に延びる山折り線１６，１７が形成されている。
【００１４】
なお、参照符号１３ａは、包装用箱１の側板部１０から舌片１３を手指で引き起こしやすくするために、舌片１３の先端に形成された指掛け凹部である。また、側板部１０は、請求項１に記載された「一側板部」に相当する。
【００１５】
図２に示されるカートン２は、厚手の段ボール等を所定の形状に打ち抜くと共に所定箇所に折り線及び切込み線を形成したものを、前記折り線に沿って折り曲げて、不図示の糊代の接着や、フラップの端部の差し込み等、良く知られた方法によって直方体状に組み立てられ、例えば缶入りビールなどの商品を多数収容して包装するもので、請求項１に記載された「他の箱」に相当するものである。このカートン２は、角筒状の箱本体１００と、その両側板部から延在され基部の折り線で折り曲げられた一対の内側フラップ１０１，１０２と、前記箱本体１００の天板部から延在され基部の折り線で折り曲げられた一対の外側フラップ１０３，１０４からなり、内側フラップ１０１，１０２と、外側フラップ１０３，１０４との互いの重合面を接着剤で接着することによって、前記箱本体１００の開口端部を封緘してある。
【００１６】
カートン２における左右に互いに対向する内側フラップ１０１，１０２の先端縁と、上下に互いに対向する外側フラップ１０３，１０４の先端縁との間には、外側フラップ１０３，１０４に沿って延びるスリット１０５が形成されている。そして、図１に示される包装用箱１の舌片１３の幅Ｗは、前記スリット１０５に挿入可能な大きさとなっている。
【００１７】
この第一の形態による包装用箱１をカートン２の端部に結合する場合は、まず例えば図３に示されるように、この包装用箱１を、舌片１３が下向きになるようにして、指掛け凹部１３ａに手指を掛けて、谷折り線１２で谷折りしながら舌片１３を側板部１０から外側へ引き起こし、更に、山折り線１６，１７で舌片１３を山折りすることによって、この舌片１３から係止片１５を突出させる。そしてこの状態で、舌片１３を、カートン２の内側フラップ１０１，１０２と外側フラップ１０３，１０４によるスリット１０５に、係止片１５が完全に挿入されるまで下向きに差し込む。
【００１８】
係止片１５は、舌片１３の挿入方向と逆向きに形成されているので、舌片１３から係止片１５が突出していても抵抗なくカートン２のスリット１０５を通過するが、図４に示されるようにいったん挿入された係止片１５は、舌片１３が抜け出す方向へ移動した時に、スリット１０５の内側（外側フラップ２４の縁）に引っ掛かって抜け止め機能を奏する。このため、包装用箱１は、このカートン２から不用意に脱落するようなことがなく、舌片１３及び係止片１５を引き起こしてカートン２のスリット１０５に差し込むだけで、接着剤などを用いることなく容易にカートン２に結合することができる。
【００１９】
また、舌片１３及び係止片１５を形成する第一の切込み線１１、谷折り線１２、第二の切込み線１４及び山折り線１６，１７は、段ボール、あるいは厚紙等を包装用箱１の展開形状に打ち抜くと共に所定箇所に折り線等を加工する工程で形成されるものであるため、部材や工数が増加するものではない。
【００２０】
なお、図３及び図４では舌片１３をカートン２のスリット１０５へ下向きに差し込むものとして説明したが、上向きに差し込んでも包装用箱１を結合することができる。図５は、舌片１３をスリット１０５へ上向きに差し込む場合の、図１の包装用箱１と図２のカートン２との関係を説明するために一部破断して示す斜視図、図６は、舌片１３をスリット１０５へ上向きに差し込むことによって図１の包装用箱１と図２のカートン２を結合した状態を示す部分断面図である。
【００２１】
この場合も基本的には舌片１３をカートン２のスリット１０５へ下向きに差し込む場合と同様、まず図５に示されるように、包装用箱１の舌片１３を、側板部１０から外側へ引き起こし、更に、この舌片１３を山折り線１６，１７で山折りすることによって係止片１５を外側へ引き起こして、この状態で、舌片１３を、カートン２のスリット１０５に、係止片１５が完全に挿入されるまで上向きに差し込むだけで、図６に示されるように、接着剤などを用いることなく容易にカートン２に結合することができる。
【００２２】
次に図７は、本考案に係る包装用箱の第二の形態を示す斜視図、図８は、舌片２３をスリット１０５へ下向きに差し込むことによって図７の包装用箱と図２のカートンを結合する場合の、包装用箱とカートンとの関係を説明するための一部破断した斜視図、図９は、舌片２３をスリット１０５へ下向きに差し込むことによって図７の包装用箱と図２のカートンとを結合した状態を示す部分断面図である。
【００２３】
図７に示される包装用箱１も第一の形態と同様、段ボール、あるいは厚紙等を所定の形状に打ち抜くと共に所定箇所に折り線及び切込み線を形成したものを、前記折り線に沿って折り曲げて、不図示の糊代の接着や、フラップの端部の差し込み等、良く知られた方法によって直方体状に組み立てられ、例えば、ビールのおつまみ、あるいはビールグラスなど、適当な景品を包装するものである。
【００２４】
この包装用箱１は、その六面のうち、フラップ１ａ，１ｂによる封緘部以外の側板部２０に、図７における下方へ凸の屈曲形状に延びる部分２１ａ及びその両側から連続して図７における上方へ凸の屈曲形状に延びる部分２１ｂ，２１ｃからなり、所要の領域を取り囲むように形成された切込み線２１と、この切込み線２１の互いに対向する両端２１ｄ，２１ｅ間を直線状に延びる第一の折り線２２によって、きのこ形の舌片２３が形成されている。また、この舌片２３は、前記第一の折り線２２によって揺動可能な本体部２３ａと、その両側にそれぞれ形成された第二の折り線２４，２５によって揺動可能であると共に舌片２３と反対側を向いた一対の係止片２３ｂ，２３ｃとからなる。なお、側板部２０は、請求項２に記載された「一側板部」に相当する。
【００２５】
舌片２３の本体部２３ａの幅Ｗは、カートン２におけるスリット１０５に挿入可能な大きさとなっている。また、２３ｆは、包装用箱１の側板部２０から舌片２３を手指で引き起こしやすくするために、舌片２３の先端に形成された指掛け凹部である。
【００２６】
この第二の形態による包装用箱１を先の図２に示されるカートン２の端部に結合する場合は、まず図８に示されるように、包装用箱１の舌片２３を、その指掛け凹部２３ｆに手指を掛けて、第一の折り線２２で折り曲げながら側板部２０から外側へ引き起こし、更に、第二の折り線２４，２５で折り曲げることによって、この舌片２３の本体部２３ａから係止片２３ｂ，２３ｃを外側へ引き起こして互いに対向させるようにする。そしてこの状態で、舌片２３を、カートン２の内側フラップ１０１，１０２と外側フラップ１０３，１０４によるスリット１０５に、係止片２３ｂ，２３ｃが完全に挿入されるまで、下向きに差し込む。
【００２７】
係止片２３ｂ，２３ｃは、舌片２３の挿入方向と逆向きに形成されているので、舌片２３から係止片２３ｂ，２３ｃが突出していても抵抗なくカートン２のスリット１０５を通過するが、図９に示されるようにいったん挿入された係止片２３ｂ，２３ｃは、舌片２３が抜け出す方向（上方）へ相対移動した時に、スリット１０５の内側（外側フラップ１０４の縁）に引っ掛かって抜け止め機能を奏する。このため、包装用箱１は、このカートン２から不用意に脱落するようなことがなく、舌片２３及び係止片２３ｂ，２３ｃを引き起こしてカートン２のスリット１０５に差し込むだけで、接着剤などを用いることなく容易にカートン２に結合することができる。
【００２８】
また、舌片２３及びその本体部２３ａ、係止片２３ｂ，２３ｃを形成する切込み線２１、第一の折り線２２及び第二の折り線２４，２５は、段ボール、あるいは厚紙等を包装用箱１の展開形状に打ち抜くと共に所定箇所に折り線等を加工する工程で形成されるものであるため、部材や工数が増加するものではない。
【００２９】
なお、図８及び図９では舌片２３をカートン２のスリット１０５へ下向きに差し込むものとして説明したが、上向きに差し込んでも包装用箱１を結合することができる。図１０は、舌片２３をスリット１０５へ上向きに差し込む場合の、図７の包装用箱１と図２のカートン２との関係を説明するために一部破断して示す斜視図、図１１は、舌片２３をスリット１０５へ上向きに差し込むことによって図７の包装用箱１と図２のカートン２を結合した状態を示す部分断面図である。
【００３０】
この場合も基本的には舌片２３をカートン２のスリット１０５へ下向きに差し込む場合と同様、まず図１０に示されるように、包装用箱１の舌片２３を、側板部２０から外側へ引き起こし、更に、この舌片２３の本体部２３ａから係止片２３ｂ，２３ｃを外側へ引き起こして互いに対向させ、この状態で、舌片２３を、カートン２のスリット１０５に、係止片２３ｂ，２３ｃが完全に挿入されるまで上向きに差し込むだけで、図１１に示されるように、接着剤などを用いることなく容易にカートン２に結合することができる。
【００３１】
なお、上述の各形態においては、カートン２に包装用箱１が取り付けられたままでも、フラップ１ａ又は１ｂを開くことによって、中の景品等を取り出すことができるが、包装用箱１を強引に引っ張れば、係止片１５（２３ｂ，２３ｃ）又は舌片１３（２３）が破断又は変形して、包装用箱１を分離させることができるので、この状態でフラップ１ａ又は１ｂを開くことによって、中の景品等を取り出しても良い。
【００３２】
また、上述の各形態は、缶入りビール等の飲料を包装するカートン２に包装用箱１を結合する場合について説明したが、本考案は、このようなビール用のカートンへの結合に限定されるものでないことはもちろんである。
【図面の簡単な説明】
【００３３】
【図１】本考案に係る包装用箱の第一の形態を示す斜視図である。
【図２】図１の包装用箱を結合するカートンを示す部分斜視図である。
【図３】舌片をスリットへ下向きに差し込むことによって図１の包装用箱と図２のカートンを結合する場合の、包装用箱とカートンとの関係を説明するための一部破断した斜視図である。
【図４】舌片をスリットへ下向きに差し込むことによって図１の包装用箱と図２のカートンとを結合した状態を示す部分断面図である。
【図５】舌片をスリットへ上向きに差し込むことによって図１の包装用箱と図２のカートンを結合する場合の、包装用箱とカートンとの関係を説明するための一部破断した斜視図である。
【図６】舌片をスリットへ上向きに差し込むことによって図１の包装用箱と図２のカートンとを結合した状態を示す部分断面図である。
【図７】本考案に係る包装用箱の第二の形態を示す斜視図である。
【図８】舌片をスリットへ下向きに差し込むことによって図７の包装用箱と図２のカートンを結合する場合の、包装用箱とカートンとの関係を説明するための一部破断した斜視図である。
【図９】舌片をスリットへ下向きに差し込むことによって図７の包装用箱と図２のカートンとを結合した状態を示す部分断面図である。
【図１０】舌片をスリットへ上向きに差し込むことによって図７の包装用箱と図２のカートンを結合する場合の、包装用箱とカートンとの関係を説明するための一部破断した斜視図である。
【図１１】舌片をスリットへ上向きに差し込むことによって図７の包装用箱と図２のカートンとを結合した状態を示す部分断面図である。
【符号の説明】
【００３４】
１  包装用箱
１０，２０  側板部（一側板部）
１１  第一の切込み線
１２  谷折り線
１３，２３  舌片
１４  第二の切込み線
１５，２３ｂ，２３ｃ  係止片
１６，１７  山折り線
２１  切込み線
２２  第一の折り線
２４，２５  第二の折り線
２３ａ  本体部
２  カートン（他の箱）
１００  箱本体
１０１，１０２  内側フラップ
１０３，１０４  外側フラップ
１０５  スリット
【図１】
0003120302.tif 000003
【図２】
0003120302.tif 000004
【図３】
0003120302.tif 000005
【図４】
0003120302.tif 000006
【図５】
0003120302.tif 000007
【図６】
0003120302.tif 000008
【図７】
0003120302.tif 000009
【図８】
0003120302.tif 000010
【図９】
0003120302.tif 000011
【図１０】
0003120302.tif 000012
【図１１】
0003120302.tif 000013